(57)【要約】【課題】扉の自然な意匠を保ちつつ導入コストの削減を図るための電気錠を提供する。【解決手段】  本発明の電気錠３は、扉２に内設される錠ケース１０と、錠ケース１０に内設される通信部としての通信基板２５と、を備え、錠ケース１０には、通信基板２５と扉２の外部で鍵として機能する情報保持体との間における無線通信を許容する非金属製の電波透過部７０が形成されている。【選択図】図３
2017043987.tif 000002
【特許請求の範囲】
【請求項１】
扉に内設される錠ケースと、
前記錠ケースに内設される通信部と、を備え、
前記錠ケースには、前記通信部と前記扉の外部で鍵として機能する情報保持体との間における無線通信を許容する非金属製の電波透過部が形成されていることを特徴とする電気錠。
【請求項２】
前記錠ケースは、非金属としての樹脂材料で形成される前記電波透過部を支持する金属製の支持ケースを有し、
前記通信部は、前記電波透過部に支持されていることを特徴とする請求項１に記載の電気錠。
【請求項３】
前記電波透過部は、前記支持ケースの内側に配置され、
前記支持ケースは、前記電波透過部の一部を露出させるように切り欠かれる切欠き部を有し、
前記通信部は、前記情報保持体に向けて電波を発信する発信部と前記情報保持体から発信される識別情報を受信する受信部とのうち少なくとも一方を含んで構成され、前記切欠き部から露出する前記電波透過部に覆われるように配置されていることを特徴とする請求項２に記載の電気錠。
【発明の詳細な説明】
【技術分野】
【０００１】
本発明は、扉に内設される電気錠に関する。
【背景技術】
【０００２】
住宅の玄関等では、デッドボルトを電気的に駆動させて施解錠を行う電気錠が使用されている。
【０００３】
特許文献１に記載の電気錠システムは、電気錠と、電気錠制御装置ユニットと、非接触ＩＣカードと、を備えている。電気錠は、木口から扉に内設されている。電気錠制御装置ユニットの筐体は、扉の壁面に取り付けられている。筐体には、アンテナ部を含む電気錠制御装置が内蔵されている。電気錠制御装置は、アンテナ部（カードリーダーパネル）にかざされた非接触ＩＣカードから識別情報を読み取る。電気錠は、読み取られた識別情報に基づいて施解錠される。
【先行技術文献】
【特許文献】
【０００４】
【特許文献１】特開２０１１−２０２３６２号公報
【発明の概要】
【発明が解決しようとする課題】
【０００５】
しかしながら、上記した電気錠制御装置ユニットの筐体は、電気錠の施解錠制御に必要なアンテナ部や電気錠制御装置を内蔵するための容積を確保しなければならなかった。比較的大きな筐体が扉の壁面に取り付けられると、扉の美観が損なわれ、これを見る者に違和感を生じさせることがあった。また、アンテナ部は、扉の室外側と室内側とに取り付けられることが多かった。すなわち、上記した電気錠制御装置ユニットは、１つの扉に対して２つのアンテナ部を設けて電気的に接続する必要があった。このため、電気錠システムの導入コスト（製造コストおよび施工コスト）が増加するという問題もあった。
【０００６】
ここで、仮に、電気錠の錠ケースにアンテナ部を内蔵すると、扉の壁面からアンテナ部が省略され、扉の美観が維持される。ところが、従来の錠ケースは、電波を遮断する金属材料で形成されることが多い。このため、金属製の錠ケースに内設されたアンテナ部は、非接触ＩＣカードと適切な無線通信を行うことができなかった。
【０００７】
本発明は上記した課題を解決すべく、扉の自然な意匠を保ちつつ導入コストの削減を図るための電気錠を提供する。
【課題を解決するための手段】
【０００８】
本発明の電気錠は、扉に内設される錠ケースと、前記錠ケースに内設される通信部と、を備え、前記錠ケースには、前記通信部と前記扉の外部で鍵として機能する情報保持体との間における無線通信を許容する非金属製の電波透過部が形成されている。
【０００９】
この構成によれば、外部の情報保持体と無線通信を行う通信部は、錠ケースの内部に設けられている。これにより、通信部を扉の壁面に設ける必要がなくなるため、扉の自然な意匠（美観）を維持することができる。また、電気錠の錠ケースは、電波の透過を許容する非金属製の電波透過部を有している。これにより、通信部は、錠ケースに内蔵された状態で、情報保持体と無線通信を確立することができる。情報保持体は、扉の室外・室内のどちらに存在していても、錠ケース内の単一の通信部と無線通信を行うことができる。扉の両壁面に通信部を設ける場合に比して、電気錠の導入コストを削減することができる。
【００１０】
この場合、前記錠ケースは、非金属としての樹脂材料で形成される前記電波透過部を支持する金属製の支持ケースを有し、前記通信部は、前記電波透過部に支持されていることが好ましい。
【００１１】
この構成によれば、金属製の支持ケースは、錠ケース全体の剛性を担保する。電波透過部は、支持ケースや扉に対して通信部を電気的に絶縁する。これにより、錠ケースの強度を確保しつつ通信部の通信性能を維持することができる。
【００１２】
この場合、前記電波透過部は、前記支持ケースの内側に配置され、前記支持ケースは、前記電波透過部の一部を露出させるように切り欠かれる切欠き部を有し、前記通信部は、前記情報保持体に向けて電波を発信する発信部と前記情報保持体から発信される識別情報を受信する受信部とのうち少なくとも一方を含んで構成され、前記切欠き部から露出する前記電波透過部に覆われるように配置されていることが好ましい。
【００１３】
この構成によれば、発信部または／および受信部を含む通信部は、支持ケースから外れた位置に設けられている。例えば、発信部が電波透過部に覆われている場合、発信部から発信される電波は、樹脂製の電波透過部を透過して情報保持体で受信される。また、例えば、受信部が電波透過部に覆われている場合、情報保持体から発信される識別情報は、電波透過部を透過して受信部で受信される。これにより、通信部と情報保持体との間で有効な無線通信を確立することができる。
【発明の効果】
【００１４】
本発明によれば、扉の自然な意匠を保ちつつ導入コストの削減を図るための電気錠を提供することができる。
【図面の簡単な説明】
【００１５】
【図１】本発明の一実施形態に係る電気錠システムを模式的に示す斜視図である。
【図２】本発明の一実施形態に係る電気錠の内部構造を示す正面図である。
【図３】本発明の一実施形態に係る電気錠の内部構造を示す背面図である。
【図４】本発明の一実施形態に係る電気錠の携帯型キー、ＩＣカードおよび制御装置等を示すブロック図である。
【図５】本発明の一実施形態に係る電気錠を示す側面図である。
【図６】本発明の一実施形態に係る電気錠の背面側透過部を示す正面図である。
【図７】本発明の一実施形態に係る電気錠の正面側透過部を示す背面図である。
【発明を実施するための形態】
【００１６】
以下、添付の図面を参照しつつ、本発明の好適な実施形態について説明する。なお、以下、図２および図６の紙面手前側（図３および図７の紙面奥側）を室外側とし、室外側を正面とする。また、各図面に矢印で示す方向を基準に説明する。
【００１７】
図１ないし図５を参照して、本実施形態に係る電気錠３を備える電気錠システム１について説明する。図１は電気錠システム１を模式的に示す斜視図である。図２は電気錠３の内部構造を示す正面図である。図３は電気錠３の内部構造を示す背面図である。図４は携帯型キー４、ＩＣカード５および制御装置１４等を示すブロック図である。図５は電気錠３を示す側面図である。
【００１８】
図１に示すように、電気錠システム１は、電気錠３と、携帯型キー４と、ＩＣカード５と、を含んで構成されている。電気錠３は、デッドボルト１１を電気的に駆動させて施解錠を行う。携帯型キー４およびＩＣカード５（以下、単に「情報保持体４，５」ともいう。）は、扉２の外部で鍵として機能する。
【００１９】
図２に示すように、電気錠３は、錠ケース１０と、デッドボルト１１と、動力伝達機構１２と、ダルマ軸１３と、制御装置１４と、を備えている。
【００２０】
錠ケース１０は、扉２に内設されている（図１参照）。錠ケース１０は、ケース本体１５と、固定板１６と、を有している。
【００２１】
ケース本体１５は、前後方向に薄い略直方体状に形成されている（図１参照）。ケース本体１５は、木口２Ｅ側から扉２内に挿設されている。ケース本体１５は、固定板１６を木口２Ｅに当接させて固定されている。詳細は後述するが、ケース本体１５は、前後方向に２分割可能に形成されている。
【００２２】
固定板１６は、上下方向に長い矩形板状に形成されている（図１参照）。固定板１６は、ケース本体１５の左側面に固定され、ケース本体１５よりも上下両方向に延設されている。固定板１６は、上下一対のケース固定ビスＢ１を木口２Ｅに螺合させることで、木口２Ｅに固定される。固定板１６は、フロント板１７によって覆われている。フロント板１７は、固定板１６を貫通させた３本の板固定ビスＢ２をケース本体１５の左側面に螺合させることで、固定板１６（ケース本体１５）に固定される。
【００２３】
固定板１６とフロント板１７とには、デッドボルト１１を進退させるための進退開口１６ａ，１７ａが穿設されている。進退開口１６ａ，１７ａは、各板１６，１７の下側に開口している。
【００２４】
デッドボルト１１は、ケース本体１５の内部に左右方向にスライド可能に設けられている。デッドボルト１１は、各板１６，１７の進退開口１６ａ，１７ａを貫通して進退可能に構成されている。デッドボルト１１には、回転軸１１ｂに回動可能に支持される鎌状部材１１ａが連結されている。鎌状部材１１ａは、デッドボルト１１の進退に従って円弧状の軌跡を描くように進退する。木口２Ｅから突出したデッドボルト１１（鎌状部材１１ａ）は、扉枠に凹設されるストライク（図示せず）に進入する。つまり、電気錠３が施錠状態になり、扉２が閉止状態になる。一方、デッドボルト１１をケース本体１５内に引き込むことで、電気錠３は解錠状態になる。
【００２５】
動力伝達機構１２は、ケース本体１５の内部でデッドボルト１１の上側に設けられている。動力伝達機構１２は、駆動モーター２０と、クラッチギア列２１と、デッド駆動ギア２２と、を有している。
【００２６】
駆動モーター２０は、制御装置１４に電気的に接続されている。デッド駆動ギア２２は、デッドボルト１１の上側に回動可能に支持されている。クラッチギア列２１は、駆動モーター２０からの駆動力をデッド駆動ギア２２に伝達する。デッド駆動ギア２２には、デッドボルト１１に係合する進退アーム２２ａが形成されている。
【００２７】
ダルマ軸１３は、ケース本体１５の内部でデッドボルト１１の下側に回転可能に支持されている。ダルマ軸１３の軸心部には、ダルマ穴１３ａが前後方向に穿設されている。ダルマ穴１３ａには、一方（例えば、室外側）からシリンダー錠のテールピース（図示せず）が係合している。同様に、ダルマ穴１３ａには、他方（例えば、室内側）からサムターンのテールピース（図示せず）が係合している。シリンダー錠に差し込んだ鍵やサムターンが回動操作されることで、ダルマ軸１３が回動する。
【００２８】
ダルマ軸１３の上面には、略扇形のダルマギア２３が設けられている。ダルマギア２３は、デッド駆動ギア２２に噛み合っている。例えば、図２において、施錠状態からダルマ軸１３が時計回りに回転されると、デッド駆動ギア２２が反時計回りに回転される。すると、進退アーム２２ａがデッドボルト１１をケース本体１５内に引き込み、解錠状態になる。一方、解錠状態からダルマ軸１３が時計回りに回転されると、再びデッドボルト１１が進出して、施錠状態になる。
【００２９】
図３ないし図５に示すように、制御装置１４は、通信基板２５と、制御基板２６と、２つの施解錠操作部２７ａ，２７ｂと、を有している。通信基板２５は、ケース本体１５の上部に内設されている。制御基板２６は、通信基板２５と動力伝達機構１２との間でケース本体１５に内設されている（図２参照）。２つの施解錠操作部２７ａ，２７ｂは、扉２の室内外の両壁面２ａ，２ｂに取り付けられている（図５参照）。
【００３０】
図３に示すように、通信部としての通信基板２５は、左右方向に長い略矩形状に形成される電子回路基板である。通信基板２５には、発信アンテナ３０と、受信アンテナ３１と、が実装されている。
【００３１】
発信部としての発信アンテナ３０は、通信基板２５の右側（吊元側）で上下方向に延びるように設けられている。発信アンテナ３０は、情報保持体４，５に向けてＬＦ（Ｌｏｗ  Ｆｒｅｑｕｅｎｃｙ）帯の電波を発信する。受信部としての受信アンテナ３１は、通信基板２５の左上側で左右方向に延びるように設けられている。受信アンテナ３１は、情報保持体４，５から発信されたＵＨＦ（Ｕｌｔｒａ  Ｈｉｇｈ  Ｆｒｅｑｕｅｎｃｙ）帯の電波を受信する。なお、扉２の室外側壁面２ａと室内側壁面２ｂとには、通信基板２５に対向する位置に目印となるタッチ部３２が形成されている（図５の斜線部参照）。
【００３２】
制御基板２６は、左右方向に長い略矩形状に形成される電子回路基板である。制御基板２６は、通信基板２５と電気的に接続されている（図４参照）。制御基板２６には、メインコネクター３３、駆動コネクター３４および施解錠信号用磁気スイッチ３５等が実装されている。メインコネクター３３には、制御基板２６と、電源Ｇ（図４参照）等とを電気的に接続させるメインハーネス３６が嵌合している。駆動コネクター３４には、制御基板２６と駆動モーター２０とを電気的に接続させる駆動ハーネス３７が嵌合している。施解錠信号用磁気スイッチ３５は、デッドボルト１１の位置（施錠状態か解錠状態か）を検出するために設けられている。
【００３３】
また、図４に示すように、制御基板２６は、制御部４０と、記憶部４１と、を含んで構成されている。制御部４０は、記憶部４１に記憶されたデータやプログラムに従って各種演算を実行する演算処理装置を備えている。記憶部４１は、書き換え可能な不揮発性メモリーで構成されている。記憶部４１には、情報保持体４，５に記憶された識別情報と対応関係にある照合情報が記憶されている。
【００３４】
制御部４０は、各種演算を実行することで、発信制御部４２、照合部４３、駆動制御部４４等として機能する。なお、制御部４０の機能の詳細については後述する。
【００３５】
図４に示すように、２つの施解錠操作部２７ａ，２７ｂは、メインハーネス３６を介して制御基板２６に電気的に接続されている。なお、２つの施解錠操作部２７ａ，２７ｂは略同一構成であるため、以下、室外側の施解錠操作部２７ａに着目して説明する。
【００３６】
図５に示すように、施解錠操作部２７ａは、扉２の室外側壁面２ａに取り付けられる筐体４５ａを有している。筐体４５ａには、発光部４６ａ（例えばＬＥＤ）とプッシュボタン４７ａとが設けられている。発光部４６ａは、例えば、ＬＥＤで構成され、制御部４０に制御されて施解錠動作時に発光する。利用者がプッシュボタン４７ａを押し下げることで、通信基板２５や制御基板２６が動作を開始する。なお、同様に、施解錠操作部２７ｂは、筐体４５ｂ、発光部４６ｂおよびプッシュボタン４７ｂを有している。
【００３７】
次に、図４を参照して、携帯型キー４およびＩＣカード５について説明する。なお、利用者は、携帯型キー４またはＩＣカード５を所持していればよい。
【００３８】
携帯型キー４は、鍵側制御部５０と、鍵側記憶部５１と、鍵側アンテナ５２と、を有している。鍵側記憶部５１は、不揮発性メモリーで構成され、固有の識別情報を記憶している。鍵側アンテナ５２は、発信アンテナ３０から発信された電波を受信することで電力を発生させる。ＩＣカード５は、ＩＣチップ５３と、カードアンテナ５４と、を有している。ＩＣチップ５３には、不揮発性メモリーで構成され、固有の識別情報を記憶している。カードアンテナ５４は、発信アンテナ３０から発信された電波を受信することで電力を発生させる。
【００３９】
次に、電気錠システム１の施解錠動作について説明する。ここでは、利用者が、屋外側から施錠状態の電気錠３を解錠する場合について説明する。
【００４０】
まず、主に図４を参照して、利用者が携帯型キー４を所持している場合について説明する。制御部４０の発信制御部４２は、携帯型キー４の接近を検知するための検知電波を所定の時間間隔で発信アンテナ３０から発信させる。
【００４１】
携帯型キー４（利用者）が発信アンテナ３０から所定範囲（例えば、発信アンテナ３０から半径１．５ｍ程度）内に進入すると、携帯型キー４の鍵側アンテナ５２は、発信アンテナ３０から発信された電波を受信して電力を発生させる。携帯型キー４の鍵側制御部５０は、発生した電力を受けて起動し、鍵側記憶部５１に記憶された識別情報を鍵側アンテナ５２から受信アンテナ３１に向けて送信する。
【００４２】
制御部４０の照合部４３は、受信した識別情報と記憶部４１に記憶された照合情報とを比較する照合処理を行う。照合処理の結果、識別情報と照合情報とが一致した場合、制御部４０の駆動制御部４４は、電気錠３に解錠制御信号を出力する。すると、駆動モーター２０が駆動され、クラッチギア列２１やデッド駆動ギア２２が回転する（図２参照）。そして、図２において、デッド駆動ギア２２が反時計回りに回転されると、進退アーム２２ａがデッドボルト１１をケース本体１５内に引き込み、解錠状態になる。
【００４３】
なお、携帯型キー４（利用者）が発信アンテナ３０から所定範囲外に移動すると、制御部４０の駆動制御部４４は、電気錠３に施錠制御信号を出力する。これにより、駆動モーター２０が駆動され、デッドボルト１１がケース本体１５から進出して、施錠状態になる。
【００４４】
続いて、主に図４を参照して、利用者がＩＣカード５を所持している場合について説明する。利用者は、プッシュボタン４７ａを押した後にＩＣカード５を扉２のタッチ部３２にかざす（図５参照）。ＩＣカード５のカードアンテナ５４は、発信アンテナ３０から発信された電波を受信して電力を発生させる。ＩＣカード５のＩＣチップ５３は、発生した電力によって動作し、カードアンテナ５４は、ＩＣチップ５３に記憶された識別情報を電波に乗せて返信する。制御部４０の照合部４３は、照合処理を行い、その結果に基づいて、制御部４０の駆動制御部４４は、電気錠３に解錠制御信号を出力する（または出力しない）。
【００４５】
ところで、従来の錠ケースは、電波を遮断する金属材料（例えば、ステンレス等）で形成されることが多い。しかしながら、通信基板２５（各アンテナ３０，３１）は、金属で覆われてしまうと、情報保持体４，５と適切な無線通信を行うことができない。このため、従来、情報保持体４，５と無線通信を行うアンテナ等は、各施解錠操作部２７ａ，２７ｂの筐体４５ａ，４５ｂに内蔵することが多かった。これに対し、本実施形態に係る電気錠３は、通信基板２５と情報保持体４，５との間で無線通信を確立することのできる錠ケース１０（ケース本体１５）を備えることで、上記のような問題を解決している。
【００４６】
以下、図１ないし図３、図６および図７を参照して、錠ケース１０のケース本体１５について説明する。図６は電気錠の背面側透過部７２を示す正面図である。図７は電気錠の正面側透過部７１を示す背面図である。
【００４７】
図１に示すように、ケース本体１５は、支持ケース６０と、電波透過部７０と、を有している。支持ケース６０は、ステンレス等の金属材料で形成されている。支持ケース６０は、電波透過部７０を支持している。ケース本体１５は、支持ケース６０に電波透過部７０を支持させた状態で、略直方体状の外観を成している。
【００４８】
図２および図３に示すように、支持ケース６０は、ケース本体１５の左側面を構成し、固定板１６を支持している。支持ケース６０の下部には、ダルマ軸１３を軸支するダルマ軸受６０ａが開口している（図３参照）。支持ケース６０は、正面側ケース６１（図３参照）と背面側ケース６２（図２参照）とを含み、前後方向に２分割可能に形成されている。正面側ケース６１と背面側ケース６２とは、電波透過部７０を前後両側から挟み込んで支持している（図１参照）。
【００４９】
図１ないし図３に示すように、支持ケース６０は、電波透過部７０の一部（上部）を露出させるように切り欠かれる切欠き部６３を有している。切欠き部６３は、支持ケース６０の右上角部を大きく切り欠くことで形成されている。切欠き部６３は、正面視で左側（木口２Ｅ側）から右側（吊元側）に向けて上下方向に拡開する略台形状に形成されている。
【００５０】
電波透過部７０は、非金属としての樹脂材料で形成されている。樹脂材料としては、例えば、高密度ポリエチレン、ポリ塩化ビニル、ポリエチレンテレフタレート、ポリプロピレン、ポリスチレン、ポリカーボネート、ＡＢＳ（アクリロニトリル・ブタジエン・スチレン）樹脂等を用いることができる。
【００５１】
電波透過部７０は、正面側透過部７１（図３参照）と背面側透過部７２（図２参照）とを含み、前後方向に２分割可能に形成されている。
【００５２】
図２、図６および図７に示すように、両透過部７１，７２の下部には、それぞれ、正面視でデッド駆動ギア２２を避けるように下側から上側に抉られるギア配置凹部７３が形成されている。図３および図７に示すように、正面側透過部７１には、クラッチギア列２１（図２参照）を配置するためのギア配置部７４が形成されている。図２、図３、図６および図７に示すように、両透過部７１，７２の下部の吊元側（右側）には、それぞれ、駆動モーター２０を保持するためのモーター保持部７５が形成されている。両透過部７１，７２の下部の木口２Ｅ側（左側）には、それぞれ、デッドボルト１１を左右方向にスライド可能に支持するためのボルト支持部７６が形成されている。
【００５３】
図６および図７に示すように、両透過部７１，７２の上部には、それぞれ、通信基板２５や制御基板２６を取り付けるための基板配置部７７が形成されている。正面側透過部７１と背面側透過部７２とは、デッドボルト１１、駆動モーター２０および通信基板２５や制御基板２６等を前後両側から挟み込んで支持している。
【００５４】
図２および図３に示すように、電波透過部７０は、支持ケース６０の内側に配置されている。電波透過部７０は、切欠き部６３から一部（上部）を露出させている（図１参照）。通信基板２５は、電波透過部７０に支持されている。上記したように、通信基板２５は、ケース本体１５の上部に内設されているため、切欠き部６３に対応して配置されている。すなわち、発信アンテナ３０および受信アンテナ３１は、切欠き部６３から露出する電波透過部７０に覆われるように配置されている（図３参照）。
【００５５】
以上説明した本実施形態に係る電気錠３によれば、外部の情報保持体４，５と無線通信を行う通信基板２５（各アンテナ３０，３１）は、錠ケース１０の内部に設けられている。これにより、通信基板２５（各アンテナ３０，３１）を扉２の室外側壁面２ａや室内側壁面２ｂに設ける必要がなくなるため、扉２の自然な意匠（美観）を維持することができる。特に、各施解錠操作部２７ａ，２７ｂからアンテナを省略することができるため、各筐体４５ａ，４５ｂの小型化を図ることができる（図５参照）。
【００５６】
また、本実施形態に係る電気錠３によれば、錠ケース１０には、通信基板２５と情報保持体４，５との間における無線通信を許容する非金属製の電波透過部７０が形成されている。錠ケース１０の電波透過部７０が電波の透過を許容するため、通信基板２５（各アンテナ３０，３１）は、錠ケース１０に内蔵された状態で、情報保持体４，５と無線通信を確立することができる。また、情報保持体４，５は、扉２の室外・室内のどちらに存在していても、錠ケース１０内の単一の通信基板２５（各アンテナ３０，３１）と無線通信を行うことができる。したがって、扉２の両壁面２ａ，２ｂにアンテナを設ける場合に比して、電気錠３の導入コストを削減することができる。
【００５７】
また、本実施形態に係る電気錠３によれば、金属製の支持ケース６０は、錠ケース１０全体の剛性を担保する。電波透過部７０は、支持ケース６０や扉２に対して通信基板２５等を電気的に絶縁する。これにより、錠ケース１０の強度を確保しつつ通信基板２５（各アンテナ３０，３１）の通信性能を維持することができる。
【００５８】
さらに、本実施形態に係る電気錠３によれば、発信アンテナ３０と受信アンテナ３１とは、支持ケース６０から外れた位置に設けられている（図２および図３参照）。発信アンテナ３０から発信される電波は、樹脂製の電波透過部７０を透過して情報保持体４，５で受信される。同様に、情報保持体４，５から発信される識別情報は、電波透過部７０を透過して受信アンテナ３１で受信される。これにより、通信基板２５（各アンテナ３０，３１）と情報保持体４，５との間で有効な無線通信を確立することができる。
【００５９】
なお、本実施形態に係る電気錠３は、通信基板２５に発信アンテナ３０と受信アンテナ３１とを実装し、両アンテナ３０，３１を切欠き部６３に臨ませたが、本発明はこれに限定されない。通信基板２５は、発信アンテナ３０と受信アンテナ３１とのうち少なくとも一方を含んで構成されていればよい。例えば、発信アンテナ３０が通信基板２５に実装され、受信アンテナ３１が扉２の室外側壁面２ａ（または室内側壁面２ｂ）に取り付けられていてもよい。
【００６０】
なお、本実施形態に係る電気錠３は、金属製の支持ケース６０と樹脂製の電波透過部７０とを組み合わせて錠ケース１０（ケース本体１５）を構成していたが、本発明はこれに限定されない。例えば、ケース本体１５全体が電波透過部７０として機能するように、ケース本体１５全体が樹脂で形成されていてもよい。
【００６１】
なお、本実施形態に係る電気錠３は、電波透過部７０を所謂硬質合成樹脂で形成していたが、本発明はこれに限定されない。例えば、電波透過部７０は、シリコンや合成ゴム等の電波を透過させることができる非金属で構成されていてもよい。
【００６２】
なお、上記実施形態の説明は、本発明に係る電気錠における一態様を示すものであって、本発明の技術範囲は、上記実施形態に限定されるものではない。上記実施形態における構成要素は、適宜、既存の構成要素等との置き換えや組合せが可能であって、上記実施形態の記載をもって、特許請求の範囲に記載された発明の内容を限定するものではない。
【符号の説明】
【００６３】
２  扉
３  電気錠
４  携帯型キー（情報保持体）
５  ＩＣカード（情報保持体）
１０  錠ケース
２５  通信基板（通信部）
３０  発信アンテナ（発信部）
３１  受信アンテナ（受信部）
６０  支持ケース
６３  切欠き部
７０  電波透過部
【図１】
2017043987.tif 000003
【図２】
2017043987.tif 000004
【図３】
2017043987.tif 000005
【図４】
2017043987.tif 000006
【図５】
2017043987.tif 000007
【図６】
2017043987.tif 000008
【図７】
2017043987.tif 000009